(57)【要約】【課題】  デジタル一眼レフカメラにおいて、ファインダ装置を通して光学像と撮像スルー画像を確認することを可能にする。【解決手段】  撮影レンズ２で撮影する被写体の光学像をメインミラー２１で反射して焦点板２５に結像し、ファインダ装置で観察するとともに、メインミラー２１を撮影レンズ２の光路上から退避させて被写体を撮像素子１４で撮像するデジタル一眼レフカメラにおいて、撮像素子１４で撮像した画像を焦点板２５に表示するＥＬ（エレクトロルミネッセンス）装置２７を備え、ＥＬ装置２７で表示した画像と焦点板２５に結像された光学像とを接眼レンズ２８で観察可能とする。焦点板２５の下側に遮光幕６２を配設することで、ＥＬ装置２７で表示される撮像画像がメインミラー２１での反射によって観察し難くなることはない。【選択図】  図１３
2007033701.tif 000002
【特許請求の範囲】
【請求項１】
撮影レンズで撮影する被写体の光学像をメインミラーで反射して焦点板に結像し、結像した光学像をファインダ装置で観察するとともに、前記メインミラーを前記撮影レンズの光路上の位置から退避させて前記被写体を撮像素子で撮像するデジタル一眼レフカメラにおいて、少なくとも前記撮像素子で撮像した画像を前記焦点板に表示するＥＬ（エレクトロルミネッセンス）装置を備え、前記ＥＬ装置で表示した画像と前記焦点板に結像された光学像とを前記ファインダ装置で観察可能に構成したことを特徴とするデジタル一眼レフカメラ。
【請求項２】
前記ＥＬ装置は前記焦点板と一体に形成されていることを特徴とする請求項１に記載のデジタル一眼レフカメラ。
【請求項３】
前記ＥＬ装置は前記メインミラーを退避位置に駆動したときに前記画像と各種情報を表示し、前記メインミラーが光路上にあるときに各種情報を表示することを特徴とする請求項２に記載のデジタル一眼レフカメラ。
【請求項４】
前記メインミラーと前記焦点板との間に少なくとも焦点板のメインミラー側を覆う遮光幕を備えることを特徴とする請求項１ないし３のいずれかに記載のデジタル一眼レフカメラ。
【請求項５】
前記メインミラーを駆動するミラー駆動機構と前記遮光幕を前記焦点板を覆う領域から進退させる遮光幕駆動機構とを一体化したことを特徴とする請求項４に記載のデジタル一眼レフカメラ。
【請求項６】
前記撮影レンズが防振レンズであるときには前記メインミラーを退避位置に駆動させることを特徴とする請求項３ないし５のいずれかに記載のデジタル一眼レフカメラ。
【発明の詳細な説明】
【技術分野】
【０００１】
本発明はデジタル一眼レフカメラに関し、特に撮影する被写体の光学像及び撮像スルー画像をファインダ装置で視認することを可能にしたデジタル一眼レフカメラに関するものである。
【背景技術】
【０００２】
デジタル一眼レフカメラは撮影レンズの光軸上にクイックリターン動作するメインミラーを備えており、撮影レンズを透過した光をメインミラーで反射して被写体の光学像を焦点板（ピントガラス）に結像し、この光学像をファインダ装置で確認する。また、メインミラーを撮影レンズの光軸から退避させたとき、いわゆるミラーアップしたときに撮影レンズを透過した光を撮像素子に結像し、被写体の画像信号をモニタ用ＬＣＤ（液晶表示装置）等に表示して視認する。そのため、この種のカメラでは被写体を常時観察するには、ファインダ装置を通して被写体の光学像を観察するか、ミラーアップしてモニタ用ＬＣＤに表示される撮像スルー画像を観察するかのいずれかに限られてしまう。
【０００３】
このようなカメラに対し、特許文献１ではファインダ光学系に小型のモニタ用ＬＣＤを内装し、モニタ用ＬＣＤの表示された撮像スルー画像をファインダ光学系を通して観察することを可能にした技術が提案されている。この技術によれば、ファインダ装置を通して光学像と撮像画像の両方を選択して観察することができるため、撮影時の利便性を高める上で有利である。
【０００４】
また、デジタル一眼レフカメラのファインダ装置では、被写体の光学像を確認すると同時に、絞り値やシャッター速度等の各種情報を確認するために、ファインダ装置内に表示装置を設けて各種情報を焦点板に結像させることが行われている。この表示装置としてはＬＣＤが利用されており、ＬＣＤで表示した情報を光学手段によって焦点板、あるいは焦点板と光学的に等価な光軸上の位置に結像させている。また、特許文献２では、このようなＬＣＤに代えてＥＬ（エレクトロルミネッセンス）装置を利用したものが提案されている。すなわち、焦点板の被写体像を表示する領域の周辺領域にＥＬ装置を形成し、このＥＬ装置をＥＬ駆動回路により駆動させることにより必要な情報を表示するように構成することで、焦点板に被写体の光学像と共にＥＬ装置により各種情報を表示させ、これをファインダ装置で視認することを可能にしている。また、特許文献２にはファインダ光学系のプリズムの表面に表示装置としてＥＬ装置を形成した技術も提案されている。
【特許文献１】特開平１０−２９４８８８号公報
【特許文献２】特開２０００−１３７２６８号公報
【発明の開示】
【発明が解決しようとする課題】
【０００５】
特許文献１の技術では光学像と撮像スルー画像を選択して確認するためにファインダ光学系の一部に設けた可動ミラー等を駆動して光路を切り替えているので、切り替えるための駆動機構が必要になりファインダ装置の構造が複雑化する。また、ファインダ装置内にモニタ用ＬＣＤを内装しているためファインダ装置が大型化してしまうという問題がある。また、特許文献２では焦点板に配設したＥＬ装置はＬＣＤ装置よりも薄く構成できるが、このＥＬ装置は情報を表示するのみであるので、焦点板に表示される画像は撮影レンズにより結像される被写体の光学像に限られる。そのため、撮像スルー画像を確認するにはモニタ用ＬＣＤに表示される画像を確認せざるを得ず、従来のカメラと同等のファインダ機能が得られるのに過ぎない。
【０００６】
本発明の目的は、ファインダ装置を通して撮像スルー画像を確認することを可能にする一方で構造の複雑化を防止し、かつ光学像と撮像スルー画像の切り替え制御が複雑になることを回避したデジタル一眼レフカメラを提供するものである。
【課題を解決するための手段】
【０００７】
本発明は、撮影レンズで撮影する被写体の光学像をメインミラーで反射して焦点板に結像し、結像した光学像をファインダ装置で観察するとともに、メインミラーを撮影レンズの光路上の位置から退避させて被写体を撮像素子で撮像するデジタル一眼レフカメラにおいて、少なくとも撮像素子で撮像した画像を焦点板に表示するＥＬ装置を備え、ＥＬ装置で表示した画像と焦点板に結像された光学像とをファインダ装置で観察可能に構成する。
【０００８】
ここで、本発明は次の構成を備えることが好ましい。ＥＬ装置は焦点板と一体に形成される。また、ＥＬ装置はメインミラーを退避位置に駆動したときに撮像した画像と各種情報を表示し、メインミラーが光路上にあるときに各種情報を表示する構成とする。さらに、メインミラーと焦点板との間に少なくとも焦点板のメインミラー側を覆う遮光幕を備えることが好ましい。この場合、メインミラーを駆動するミラー駆動機構と遮光幕を焦点板を覆う領域から進退させる遮光幕駆動機構とを一体化することが好ましい。また、撮影レンズが防振レンズであるときにはメインミラーを退避位置に駆動させることが好ましい。
【発明の効果】
【０００９】
本発明によれば、薄く構成できるＥＬ装置を焦点板に設け、ＥＬ装置を用いて被写体の撮像画像を焦点板に表示するので、焦点板に結像される光学像と当該撮像画像のいずれかをファインダ装置で観察することができる。これにより、デジタル一眼レフカメラにおいてファインダ装置を通して撮像スルー画像を確認して撮影することが可能になる一方で、特許文献１のようなファインダ装置に光学像と撮像画像とを切り替えるための機構は不要になり、切り替え制御が容易になるとともにカメラの構造が複雑化することを抑えることができる。
【００１０】
また、焦点板の下側に遮光幕を配設することで、ＥＬ装置で表示される撮像画像がメインミラーでの反射によって観察し難くなるようなこともない。また、手振れ防止用の防振レンズを備える撮影レンズの場合にはＥＬ装置で表示される撮像画像を観察することでファインダ像酔いを未然に防止することも可能になる。
【実施例１】
【００１１】
次に、本発明の実施例を図面を参照して説明する。図１及び図２は本発明の実施例１のデジタル一眼レフカメラを前方及び後方から見たそれぞれの外観斜視図である。実施例１のデジタル一眼レフカメラはカメラ本体１と、カメラ本体１に着脱可能な同図には表れない撮影レンズ２（図１３参照）を備えている。カメラ本体１の前面には撮影レンズ２を着脱するためのレンズマウント３が設けられ、上部にはメインスイッチ４、シャッター釦５、前側ダイヤル６、モード設定ダイヤル７、情報用ＬＣＤ８、アクセサリーシュー９等が配設される。また、背面にはファインダ窓１０、モニタ用ＬＣＤ１１、詳細について後述するＥＬ表示釦１２、後側ダイヤル１３等が配設される。
【００１２】
図３は前記カメラ本体１の内部に設けられるミラーボックス２０の斜視図、図４はその要部を分解した斜視図である。ミラーボックス２０は水平方向に延長したミラー軸を支点として上下方向に往復回動動作（クイックリターン）が可能なメインミラー２１を内装している。このメインミラー２１は、通常では撮影レンズ２の光軸上に位置した下動位置にあり、撮影レンズ２を透過した被写体光を上方に向けて反射させて同図には表れない焦点板２５に結像させる。また、上方に回動したときには撮影レンズ２からの被写体光の光路から退避した上動位置にあり、当該被写体光をミラーボックス２０の背後に配設した同図には表れないＣＣＤ素子等からなる撮像素子１４（図１３参照）に結像して撮像を行い、光電変換した撮像信号を出力するようになっている。
【００１３】
前記ミラーボックス２０の上部には詳細を後述する焦点板２５が内装されるとともに、その上には焦点板２５に結像された被写体像を正立像にするためのペンタプリズム２２が搭載される。また、このペンタプリズム２２の背後には測光レンズ２３と測光素子２４が搭載され、さらに図には表れない接眼レンズ２８（図１３参照）が装着される。また、前記ミラーボックス２０の背面には前記撮像素子の前側にシャッターユニット３０が配設され、シャッタ駆動機構３１によってシャッタ幕を開動作させて前記した撮像素子での撮像を可能にしている。また、前記ミラーボックス２０の左側面（カメラ正面に向かって、以下同様）には、レンズマウント３に装着される撮影レンズに内蔵されている絞りを動作させるための絞り駆動機構４０と、前記メインミラー２１を上下に回動させるためのミラー駆動機構５０が配設されている。
【００１４】
すなわち、前記ミラーボックス２０の左側面には絞駆動機構支持板４１がネジ４２によって固定されており、この絞駆動機構支持板４１には、絞り駆動機構４０の駆動源となる絞駆動モータ４３と共にミラー駆動機構５０の駆動源としてのミラー駆動モータ５１が支持されている。絞駆動機構４０は前記レンズマウント３に取着された図には表れない撮影レンズの絞り込みレバーに連係し、絞駆動モータ４３を回転動作することで絞りを動作させるものであり、従来のデジタル一眼レフカメラに適用されているものと同じ構成であるのでここでは説明は省略する。ただし、ここでは絞り駆動機構４０はミラー駆動機構５０とは独立して絞り動作を行うように構成されており、これによりミラー動作とは独立して常時撮像画像の絞り調整が可能にされている。
【００１５】
前記ミラー駆動機構５０は前記絞駆動機構支持板４１の内側の前記ミラーボックス２０の左側面に構築されており、遮光幕駆動機構６０が一体的に構成されている。図５はミラー駆動機構５０及び遮光幕駆動機構６０の要部の斜視図であり、図６はこれをカメラの左方向から見た図である。前記ミラーボックス２０内のメインミラー２１の直上位置に焦点板２５が配設されている。前記絞駆動機構支持板４１に支持されているミラー駆動モータ５１の回転軸にギヤＧＡが取着されており、このギヤＧＡからギヤＧＫまでの複数のギヤが順次噛合され、ミラー駆動モータ５１の回転力を最終的にギヤＧＫまで伝達するギヤ列５２が構成されている。このギヤ列５２を構成するギヤＧＡ〜ＧＫのうち、ギヤＧＩはシャッタチャージレバー５３に設けられたカム係合部５３ａに係合するシャッタチャージカム５４を一体的に回動するように構成される。このシャッタチャージレバー５３は図には表れないバネ手段によって図の反時計方向に付勢されており、ギヤＧＩの回転に伴ってシャッタチャージカム５４が時計方向に回動されたときにシャッタチャージを行うが、この構成は従来のデジタル一眼レフカメラと同じであるので詳細な説明は省略する。
【００１６】
また、ギヤＧＪはシャッタ係止解除レバー５５に設けたカム係合部５５ａに係合するシャッタ係止解除カム５６を一体的に回動するように構成される。シャッタ係止解除レバー５５は図には表れないバネ手段によって図の反時計方向に付勢されており、その一部は前記メインミラー２１に設けられたレバー係合部２１ａの下側に配設されている。前記メインミラー２１は図には表れないバネ手段によってミラー軸２１ｂを支点として図の時計方向に回動するように付勢されており、この付勢力によってメインミラー２１は下方に回動されて撮影レンズの光軸上に位置した下動位置にあり、この位置では前記レバー係合部２１ａは前記シャッタ係止解除レバー５５に当接している。ギヤＧＪの回転に伴ってシャッタ係止解除カム５６が反時計方向に回動されたときにシャッタ係止解除レバー５５が時計方向に回動され、レバー係合部２１ａを介してメインミラー２１を上方に回動して撮影レンズの光軸上の位置から退避した上動位置に移動させ、いわゆるミラーアップを行う。
【００１７】
図７（ａ）及び（ｂ）に外観斜視図を示すように、前記ギヤＧＪは円周方向の所定長さ領域にわたって軸方向の半分だけ歯５８の一部を欠損させた欠歯領域５７を設けている。また、ギヤＧＫはギヤＧＪの欠歯領域５７では噛合せず、欠歯領域５７以外でのみギヤＧＪの歯５８と噛合する部分歯５９を備えている。これらのギヤＧＪとＧＫは、ギヤＧＪが図の反時計方向に所定位置まで回動されときに両ギヤの歯が噛合してギヤＧＪの回転力がギヤＧＫに伝達される。さらに、ギヤＧＪが反時計方向に回動されると、ギヤＧＪの欠歯領域５７がギヤＧＫの部分歯５８に対向する位置になり、ギヤＧＪの歯５８とギヤＧＫの部分歯５９の噛合状態は解消され、ギヤＧＫは回転が自由な状態になる。
【００１８】
遮光幕駆動機構６０は、大径の巻取りプーリＰＡと小径の駆動プーリＰＢとを備えており、巻取りプーリＰＡは前記ギヤＧＫと同軸状態に一体化されている。また、前記駆動プーリＰＢは、前記メインミラー２１のミラー軸２１ｂの近傍にこれと平行に配設された遮光幕軸６１に軸支されている。この遮光幕軸６１は前記焦点板の下面に臨む高さ位置に配設されており、前記ミラーボックス２０に軸転可能に支持されている。そして、前記遮光幕軸６１に遮光幕６２が巻き付けられている。遮光幕６２は柔軟な遮光性のある薄い幕で形成されており、前記メインミラー２１の反射面を覆うことが可能な幅寸法及び長さ寸法に形成されている。そして、遮光幕６２の一部を細幅に延長した案内ベルト６３が設けられており、この案内ベルト６３が前記巻取りプーリＰＡの円周一部に連結されている。前記遮光幕軸６１の左端部、すなわち前記ミラー駆動機構５０に臨む側の端部は、図４に示したように前記絞駆動機構支持板４１を貫通し、その貫通した部分に前記駆動プーリＰＢが軸支されており、この駆動プーリＰＢには細幅の駆動ベルト６４が巻き付けられており、この駆動ベルト６４の先端部と絞駆動機構支持板４１の一部との間にコイルバネからなる引っ張りバネ６５を弾装している。前記巻取りプーリＰＡの一側面には回転したときにミラーボックス２０の固定部に当接し、後述するように引っ張りバネ６５により遮光幕軸６１に巻き取られる遮光幕６２の位置を規制するためのストッパピン６６が設けられる。
【００１９】
このミラー駆動機構５０及び遮光幕駆動機構６０では、レリーズ時、あるいはミラーアップ操作時にミラー駆動モータ５１が回転すると、図８及び図９の斜視図及び左側面図に示すように、ギヤＧＡの回転がギヤＧＪまで伝達され、ギヤＧＪの反時計方向の回転によりシャッタ係止解除レバー５５によりメインミラー２１を上動する。また、ギヤＧＪが所定位置まで回転されると、図７（ｂ）に示すように、ギヤＧＪの欠歯領域５７がギヤＧＫの部分歯５９から外れてギヤＧＪの歯５８と部分歯５９とが噛合するようになり、ギヤＧＫが時計方向に回転される。ギヤＧＫのかかる回転により、これと一体の巻取りプーリＰＡが時計方向に回動され、遮光幕６２の案内ベルト６３を巻取りプーリＰＡに巻き取る。これにより、遮光幕６２が遮光幕軸６１から引き出される。遮光幕６２が引き出されるのに伴って遮光幕軸６１が回転されると、駆動ベルト６４は引っ張りバネ６５を引延しながら駆動プーリＰＢに巻き取られることになる。
【００２０】
レリーズ終了時、あるいはマニュアルによるミラーダウン操作時にミラー駆動モータ５１がさらに回転すると、ギヤＧＪのさらなる反時計方向の回転によってメインミラー２１が下動され、撮影レンズ２の光軸上の通常位置に復帰される。また、これと同時にギヤＧＪのかかる反時計方向の回転によりギヤＧＪの欠歯領域５７がギヤＧＫの部分歯５８に対向する状態となり、ギヤＧＪとギヤＧＫの噛合が解除され、ギヤＧＫ及び巻取りプーリＰＡが自由な回転状態となる。そのため、引っ張りバネ６５のバネ力によって駆動ベルト６４が引かれて駆動プーリＰＢがギヤＧＫとともに反時計方向に回動され、これと一体の遮光幕軸６１も反時計方向に回転されるため遮光幕６２は遮光幕軸６１に巻き込まれて行き、遮光幕６２は焦点板２５の下側領域から後退され、初期の状態に復帰することになる。
【００２１】
図１０は前記ミラーボックス内に内装されている焦点板２５の外観斜視図、図１１はその断面図と一部の拡大図である。焦点板２５は矩形の平板状をした結像板２６と、この結像板２６の表面の周辺領域を除いたほぼ全面にわたって形成された浅い凹部２６１内に埋設されたＥＬ装置２７とで構成される。結像板２６はＰＭＭＡ（アクリル）、ＰＣ（ポリカーボネート）等の厚さ１ｍｍ程度の透明樹脂板で構成され、表面は結像される被写体像を視認させるための拡散面２６２として構成される。ここでは結像板２６の表面に２μｍ程度の微細な凹凸２６２ａを形成して粗面化することで拡散面２６２を構成している。また、ここでは結像板２６は光学コンデンサ機能を持たせており、図の下側の裏面２６３はレンズ面としてあるいはフレネルレンズ面として構成されている。
【００２２】
ＥＬ装置２７はここではフルカラーＥＬディスプレイとして構成されており、Ｒ（赤色），Ｇ（緑色），Ｂ（青色）の各画素２７０を平面マトリクス配列したものである。このＥＬディスプレイ２７は、図１２に画素の一部を拡大図示するように、透明なフィルムからなる透明基板２７１の表面に前記画素２７０を配列したＥＬ部２７２を形成しており、このＥＬ部２７２では、防湿バリア膜２７３の上にＩＴＯ（Indium Tin Oxide：酸化インジウム錫）からなる25〜100 ｎｍの膜厚の透明な基板側電極２７４が所要パターンに形成され、その上に各画素に対応して絶縁層２７５、発光層２７６、絶縁層２７７が形成される。さらにその上にＩＺＯ（Indium Zinc Oxide ：酸化インジウム亜鉛）電極からなる25〜100 ｎｍの膜厚の透明な表面側電極２７８、防湿バリア層２７９が形成されたものである。このＥＬディスプレイ２７は基板側電極２７４と表面側電極２７８との間に所要の電圧を印加して発光層に高電界を印加することにより発光層２７６がそれぞれ発光して赤色光、緑色光、青色光を出射する。したがって、所望の画素を選択して発光させることで、ＥＬディスプレイ２７において所望のカラーパターン（カラー画像）を表示させることが可能である。また、両電極２７４，２７８間に電圧を印加しないときにはＥＬディスプレイ２７は透明な状態に保たれる。
【００２３】
前記ＥＬディスプレイ２７の透明基板２７１は、厚さが７５μｍ程度のＰＥＴ（ポリエチレンテレフタレート），ＰＥＳ（ポリエーテルサルフォン），ＰＡｒ（ポリアリレート），ＰＣ（ポリカーボネート）等の透明な樹脂フィルムで構成される。前記絶縁層２７５，２７７は0.2 〜0.3 μｍの膜厚の二酸化シリコン膜が用いられ、前記防湿バリア膜２７３，２７９は同程度の膜厚の窒化シリコン膜が用いられる。発光層２７６は0.5 〜１μｍの厚さであり、無機ＥＬとして構成したときには赤色画素にＣａＳ：Ｅｕ，ＺｎＳ：Ｓｍ等、緑色画素にＺｎ：Ｔｂ等、青色画素にＳｒＳ：Ｃｅ，ＣａＧａ２Ｓ４：Ｃｅ等が用いられる。また、有機ＥＬとして構成したときには赤色画素にＥｕ（ＤＢＭ）３（Ｐｈｅｎ）（Ｅｕ錯体）、緑色画素にＡｌｑ（８−キノリノラトアルミニウム錯体）、青色画素にＤＰＶＢｉ（ジスチリル誘導体）が用いられる。
【００２４】
そして、前述したように前記ＥＬディスプレイ２７は表面側を結像板２６の表面に向けた状態で前記結像板２６の凹部２６１内に内装され、図には表れないがＥＬディスプレイ２７の周囲に透明なシール材を塗布して両者の各表面間を封止するとともに、両者を一体化して前記焦点板２５を構成している。
【００２５】
図１３は実施例１のカメラブロック構成図である。カメラ本体１に装着した撮影レンズ２で結像された被写体像を光学ローパスフィルタ１４１を通して撮像した撮像素子１４からの撮像信号はＡ／Ｄ変換器１０１においてデジタルの画像信号に変換される。このデジタル画像信号は信号処理回路１０２においてカラープロセス処理やガンマ補正等の所定の信号処理が施され、圧縮回路１０３において圧縮され、あるいは圧縮されることなくＶＲＡＭ（画像メモリ）１０４に書き込まれる。前記撮像素子１０は、ＣＰＵ１００がクロックジェネレータ１０６を介してＣＣＤドライバ１０５を制御することによって、撮像時における撮像素子１４での蓄積時間を設定することが可能にされている。
【００２６】
前記ＣＰＵ１００は被写体を撮像する際には測距装置１１１で測定した被写体距離に基づいてＡＦ（自動焦点）駆動機構１１２を制御する。また、ミラー駆動機構５０を制御して前記メインミラー２１を動作する。さらに、前述のシャータチャージレバー５３、シャッタ係止解除レバー５５でのシャッタチャージ、チャージ解除を行い、同時にシャッタ駆動回路１１４を制御してシャッタユニット３０を開閉制御する。同時に撮影レンズ２内に設けられている絞り２０１を絞り駆動機構４０により制御する。さらに、前記ＣＰＵ１００は、撮影情報用ＬＣＤ８及びモニタ用ＬＣＤ１１に所要のデータを表示するように動作する。また、カメラに付属され、あるいは外付されたストロボ１１５を発光させるストロボ制御部１１６を制御する。さらに、前記測光素子２４の測光出力に基づいて露出制御部１１７を制御する。
【００２７】
また、前記ＣＰＵ１００には、メインスイッチ４の操作情報と、レリーズ釦５の押し込みにより動作される測光スイッチとレリーズスイッチのスイッチ情報と、各種モードを設定するためのモード設定ダイヤル７で設定されるモード情報が入力される。さらに、ＥＬディスプレイ２７での表示を行うためのＥＬ表示釦１２の操作情報が入力される。また、前記焦点板２５に一体に設けられたＥＬディスプレイを駆動してＥＬディスプレイでの表示を行うためのＥＬ駆動回路１１８が設けられており、前記モード設定ダイヤル７やＥＬ表示釦１２が操作されたときにＣＰＵ１００はＥＬ駆動回路１１８を動作させてＥＬディスプレイでの表示を行うことが可能とされている。さらに、前記遮光幕６２を焦点板２５の下側に進退させるための遮光幕駆動機構６０を制御することが可能とされている。
【００２８】
以上の構成のデジタル一眼レフカメラにおける撮影動作を図１４のフローチャートを参照して説明する。ＣＰＵ１００に設けられた内蔵カウンタのカウント値ＮをＮ＝０に設定し（Ｓ１０１）、メインスイッチ４のオンを確認すると（Ｓ１０２）、カウント値ＮをＮ＝Ｎ＋１とする（Ｓ１０３）。撮影レンズ２のレンズが手振れ防止用の防振レンズとして構成されているか否かを判定し（Ｓ１０４）、続いてＥＬ表示釦１２がオンされているか否かを判定し（Ｓ１０５）、防振レンズでないとき、及びＥＬ表示釦１２がオンされていないときには「光学像表示フロー」に入る（Ｆ１）。また、撮影レンズ２が防振レンズのとき、又はＥＬ表示釦１２がオンされているときには「ＥＬ表示フロー」に入る（Ｆ２）。
【００２９】
「光学像表示フロー」Ｆ１は、これまでのデジタル一眼レフカメラの撮影フローと同じであり、メインミラー２１は下動位置にあり、撮影レンズ２を透過した光はメインミラー２１で反射され焦点板２５に結像される。撮影者はファインダ窓１０を覗いて焦点板２５に結像した被写体の光学像をペンタプリズム２２及び接眼レンズ２８を通して視認する（Ｓ１１１）。レリーズ釦５の半押しで測光スイッチがオンすると（Ｓ１１２）、測距装置１１１で測距した被写体距離によりＡＦ駆動機構１１２を駆動して焦点合わせを行うとともに（Ｓ１１３）、測光素子２４により測光を行って絞り値、シャッタ速度を決定し（Ｓ１１４）する。次いで、レリーズ釦５の全押しでシャッタスイッチがオンされと（Ｓ１１５）、ミラー駆動機構５０によりメインミラー２１を上動し（Ｓ１１６）、シャッタ駆動機構３１によりシャッタユニット３０のシャッタを開いて撮影レンズ２による被写体像を撮像素子１４に結像し、撮像を実行する（Ｓ１３０）。撮像した画像はメモリに記録する（Ｓ１３１）。その後、メインスイッチ５の状態を確認し（Ｓ１３２）、メインスイッチ５がオンであるときにはステップＳ１０３に戻り、カウント値ＮをＮ＝Ｎ＋１としてステップＳ１０４に移行する。
【００３０】
一方、「ＥＬ表示フロー」Ｆ２は、ステップＳ１２１においてカウント値ＮがＮ＝１のときにはミラー駆動機構５０を動作してメインミラー２１を上動する（Ｓ１２２）。これにより、撮影レンズ２で結像される被写体像は撮像素子１４によって撮像される。ステップＳ１２１においてカウント値ＮがＮ＝１でないときには、既にメインミラー２１が上動されているのでステップＳ１２２はパスする。そして、レリーズ釦５を半押して測光スイッチをオンすると（Ｓ１２３）、撮像素子１４で撮像した撮像信号のコントラストから被写体のＡＦを行う（Ｓ１２４）。また、撮像素子１４を構成しているＣＣＤ素子での受光により測光を行う（Ｓ１２５）。撮像素子１４で撮像した撮像信号は前述のように信号処理されて被写体の画像が得られ、このときＥＬ表示釦１２がオンされているので、ＥＬ駆動回路１１８を駆動し、ＥＬディスプレイ２７に被写体像、すなわち撮像スルー画像を表示する（Ｓ１２６）。そのため、焦点板２５にはＥＬディスプレイ２７により被写体像がカラー表示されるので、ペンタプリズム２２及び接眼レンズ２８によって視認することができる。なお、このときモニタ用ＬＣＤ１１において撮像スルー画像を表示するようにしてもよい（Ｓ１２７）。したがって、撮影者はファインダ視野内に表示されるＥＬディスプレイ２７での被写体の画像を確認しながら、レリーズ釦５を全押しすることにより（Ｓ１２８）、ステップＳ１３０に移行し、撮像が実行される。
【００３１】
このとき、メインミラー２１が上動して反射面が焦点板２５の直下に位置されていると、ＥＬディスプレイ２７から出射される画像光のうち、下面側に出射した光はメインミラー２１の反射面で反射され、ＥＬディスプレイ２７の上面側、すなわち焦点板２５の上面側に出射した光と重なって二重画像に見えるおそれがある。このとき、図１５にＥＬディスプレイ２７の画像表示のフローを示すように、ＣＰＵ１００はミラー駆動機構５０を動作してメインミラー２１を上動すると（Ｓ２０１）、これと同時にＥＬ駆動回路１１８を駆動する（Ｓ２０２）。ミラー駆動機構５０の動作により、遮光幕駆動機構６０が駆動され、遮光幕６２を移動して上動したメインミラー２１と焦点板２５との間に進出させる（Ｓ２０３）。これにより、メインミラー２１の反射面が遮光幕６２によって覆われることになり、焦点板２５に設けたＥＬディスプレイ２７が画像を表示したときに、ＥＬディスプレイ２７から下面側に出射された光がメインミラー２１によって反射されることはなく、ＥＬディスプレイ２７の上面側から出射された光で形成される画像のみがファインダ装置を通して視認されることになり、画像の見栄えが低下するようなこともない。
【００３２】
また、ミラー駆動機構５０によりメインミラー２１を下動したときには（Ｓ２０４）、ＥＬ駆動回路１１８の動作を停止する（Ｓ２０５）。これと同時に遮光幕駆動機構６０により遮光幕６２は遮光幕軸６１に薪戻されるため、遮光幕６２はメインミラー２１と焦点板２５との間から退避され、メインミラー２１で反射した被写体の光学像を焦点板２５に結像させることが可能になる。
【００３３】
なお、図１４に示したフローのステップＳ１０４において、撮影レンズ２が防振レンズのときには無条件で「ＥＬ表示フロー」Ｆ２に移行している。これは、防振レンズは手振れを防止することを目的にカメラ本体１に生じる振動を相殺するようにレンズが振動する構成であるため、「光学像表示フロー」Ｆ１での撮影を行うとすると、振動するレンズにより結像された被写体の光学像が焦点板２５上で微細に移動され、これをファインダ装置で観察すると撮影者がファインダ像酔い状態になるおそれがある。そのため、防振レンズのときには強制的に「ＥＬ表示フロー」Ｆ２での撮影とすれば、撮像素子１４により得られる被写体の画像は手振れが防止された画像であるため、この画像をＥＬディスプレイ２７で焦点板２５に表示してもファインダ像酔い状態が生じることを防止できる。
【００３４】
以上のように、実施例のカメラでは、極めて薄いディスプレイ装置であるＥＬ装置（ＥＬディスプレイ）２７を焦点板２５に一体的に設けており、このＥＬ装置２７を用いて被写体の撮像画像を焦点板２５に表示し、これをファインダ装置で観察することができるので、特許文献１のようなファインダ装置に光学像と撮像画像とを切り替えるための機構は不要になる。また、実施例では遮光幕駆動装置６０を備えているが、ミラー駆動機構５０と一体的に動作するように連係させることで構造が複雑化することを最小限に抑えることができる。
【００３５】
ここで、前記ＥＬ装置２７は、光学像表示フローＦ１時においても、焦点板２５に表示された被写体の光学像をファインダ装置を通して視認する際の邪魔にならない範囲で、例えば絞りやシャッタースピード等の撮影情報を同時に表示するようにしてもよい。
【図面の簡単な説明】
【００３６】
【図１】実施例１のカメラを前側から見た斜視図である。
【図２】実施例１のカメラを後ろ側から見た斜視図である。
【図３】ミラーボックスの斜視図である。
【図４】図３の一部を分解した斜視図である。
【図５】ミラー駆動機構と遮光幕駆動機構の斜視図である。
【図６】図５の左側面図である。
【図７】ギヤＧＪ，ＧＫの斜視図である。
【図８】ミラー駆動機構と遮光幕駆動機構の動作を示す斜視図である。
【図９】図８の左側面図である。
【図１０】焦点板の斜視図である。
【図１１】焦点板の断面図と要部の拡大図である。
【図１２】ＥＬ部の画素の拡大断面図である。
【図１３】全体構成のブロック構成図である。
【図１４】撮影動作のフローチャートである。
【図１５】ＥＬの表示のフローチャートである。
【符号の説明】
【００３７】
１  カメラ本体
２  撮影レンズ
５  レリーズ釦
１２  ＥＬ表示釦
２０  ミラーボックス
２１  メインミラー
２５  焦点板
２６  結像板
２７  ＥＬ装置
４０  絞駆動機構
５０  ミラー駆動機構
６０  遮光幕駆動機構
６２  遮光幕
ＧＡ〜ＧＫ  ギヤ
ＰＡ，ＰＢ  プーリ
１００  ＣＰＵ
１１８  ＥＬ駆動回路
【図１】
2007033701.tif 000003
【図２】
2007033701.tif 000004
【図３】
2007033701.tif 000005
【図４】
2007033701.tif 000006
【図５】
2007033701.tif 000007
【図６】
2007033701.tif 000008
【図７】
2007033701.tif 000009
【図８】
2007033701.tif 000010
【図９】
2007033701.tif 000011
【図１０】
2007033701.tif 000012
【図１１】
2007033701.tif 000013
【図１２】
2007033701.tif 000014
【図１３】
2007033701.tif 000015
【図１４】
2007033701.tif 000016
【図１５】
2007033701.tif 000017